(57)【要約】【課題】電子機器を提供する。【解決手段】電子機器１は、第１カード１２を収容する第１収容部１０と、第２カード２２を収容する第２収容部２０と、第１カード１２および第２カード２２を保持可能な１の保持部材３０と、を備え、第１収容部１０および第２収容部２０は、第１カード１２の排出経路と第２カード２２の排出経路とが重なるように配置し、保持部材３０は、第１カード１２の排出経路と第２カード２２の排出経路とが重なる領域に位置する。【選択図】図６
2018120419.tif 000002
【特許請求の範囲】
【請求項１】
第１カードを収容する第１収容部と、
第２カードを収容する第２収容部と、
前記第１カードおよび前記第２カードを保持可能な１の保持部材と、を備え、
前記第１収容部および前記第２収容部は、前記第１カードの排出経路と前記第２カードの排出経路とが重なるように配置し、
前記保持部材は、前記第１カードの排出経路と前記第２カードの排出経路とが重なる領域に位置する、電子機器。
【請求項２】
前記第１収容部の開口と、前記第２収容部の開口とは対向する、請求項１に記載の電子機器。
【請求項３】
前記保持部材は板状である、請求項１または２に記載の電子機器。
【請求項４】
前記保持部材は、前記第１カードの排出経路および前記第２カードの排出経路を塞ぐことにより、当該第１カードおよび当該第２カードを保持する、請求項１から３のいずれかに記載の電子機器。
【請求項５】
前記保持部材は、前記第１カードおよび前記第２カードを保持する状態から、当該第１カードおよび当該第２カードを保持しない状態に変位可能である、請求項１から４のいずれかに記載の電子機器。
【請求項６】
前記保持部材は、前記第１カードおよび前記第２カードを保持する状態から当該保持部材の少なくとも一部が解放されることにより変位可能である、請求項５に記載の電子機器。
【請求項７】
前記保持部材は、当該保持部材の一辺を軸として回動することにより変位可能である、請求項５または６に記載の電子機器。
【請求項８】
前記保持部材は、少なくとも部分的に弾性を有する、請求項１から７のいずれかに記載の電子機器。
【請求項９】
前記第１収容部および前記第２収容部は、バッテリを収容するスペースの底部に設けられる、請求項１から８のいずれかに記載の電子機器。
【請求項１０】
前記保持部材は、前記バッテリにより変位が抑制される、請求項９に記載の電子機器。 
【発明の詳細な説明】
【技術分野】
【０００１】
本開示は、電子機器に関する。より詳細には、本開示は、メモリカードなどのカードを収容する電子機器に関する。
【背景技術】
【０００２】
現在、携帯電話またはスマートフォンなどのような通信端末をはじめとする電子機器の多くは、例えばメモリカードおよびＳＩＭカードなどのカード（以下、ＩＣカードと総称する）を利用することができる。このような電子機器の多くは、電子機器の本体内部にＩＣカードを収容して使用することができる（例えば特許文献１参照）。特許文献１は、メモリカードのような電子部品を容易に接続することができる技術を提案している。
【先行技術文献】
【特許文献】
【０００３】
【特許文献１】特開２００１−１３４３４２号公報
【発明の概要】
【発明が解決しようとする課題】
【０００４】
最近の電子機器は、小型の本体内部に、電子部品をはじめとする各種の部品などが極めて多数内蔵されている。このため、電子機器の本体内部にＩＣカードを収容するスペースは非常に制限されている。また、ＩＣカードを収容する機構は、精緻かつ脆弱なことが多く、電子機器からＩＣカードを取り出したり、電子機器にＩＣカードを収容したりする際には、注意深く取り扱う必要がある。したがって、ＩＣカードを収容する電子機器において、本体内部のスペースを有効利用できるとともに、脆弱でない構成を実現することができれば、非常に利便性を高めることができる。
【０００５】
本開示の目的は、ＩＣカードのようなカードを収容する電子機器の利便性を高めることにある。
【課題を解決するための手段】
【０００６】
本開示に係る電子機器は、
第１カードを収容する第１収容部と、
第２カードを収容する第２収容部と、
前記第１カードおよび前記第２カードを保持可能な１の保持部材と、を備える。
前記第１収容部および前記第２収容部は、前記第１カードの排出経路と前記第２カードの排出経路とが重なるように配置する。
前記保持部材は、前記第１カードの排出経路と前記第２カードの排出経路とが重なる領域に位置する。
【発明の効果】
【０００７】
本開示によれば、ＩＣカードのようなカードを収容する電子機器の利便性を高めることができる。
【図面の簡単な説明】
【０００８】
【図１】本開示の実施形態に係る電子機器を示す外観斜視図である。
【図２】本開示の実施形態に係る電子機器を示す外観斜視図である。
【図３】本開示の実施形態に係る電子機器の動作を説明する拡大斜視図である。
【図４】本開示の実施形態に係る電子機器の動作を説明する拡大斜視図である。
【図５】本開示の実施形態に係る電子機器の動作を説明する拡大斜視図である。
【図６】本開示の実施形態に係る電子機器の動作を説明する拡大斜視図である。
【図７】本開示の実施形態に係る電子機器を示す断面図である。
【図８】本開示の実施形態の変形例に係る電子機器を示す拡大斜視図である。
【図９】本開示の実施形態に係る電子機器の利点を説明するための図である。
【図１０】本開示の実施形態に係る電子機器の利点を説明するための図である。
【図１１】本開示の実施形態に係る電子機器の利点を説明するための図である。
【発明を実施するための形態】
【０００９】
以下、本開示の実施形態について、図面を参照して説明する。
【００１０】
以下説明する本開示の実施形態においては、電子機器の一例として、スマートフォンのような携帯電話を想定して説明する。しかしながら、本開示の実施形態は、スマートフォンのような携帯電話に限定されるものではなく、例えばフィーチャーフォンタイプの携帯電話としてもよい。また、本開示の実施形態は、必ずしも携帯電話に限定されず、例えばタブレット端末、電子機器を遠隔操作するリモコン端末、デジタルカメラ、およびノートＰＣなど、各種の電子機器とすることができる。要するに、本開示の実施形態は、例えばＩＣカードのようなカードを収容する収容部を有する任意の電子機器とすることができる。
【００１１】
また、本開示の実施形態においては、例えばメモリカードおよびＳＩＭカードなどのカードを収容する電子機器について説明する。ここで、メモリカードとは、例えばＳＤメモリカード（ＳＤカード）、ミニＳＤカード、またはマイクロＳＤカードなどをはじめとする、任意の記憶装置としての機能を有するカードとすることができる。また、ＳＩＭ(Subscriber Identity Module Card)カードとは、例えばマイクロＳＩＭカード、ナノＳＩＭ(nano-SIM)カードなどをはじめとする、例えば通信サービスの加入者を特定するためのＩＤ番号が記録された任意のＩＣカードとすることができる。以下、ＳＩＭカードは、ＵＩＭ(User Identity Module Card)カードなども含むものとして説明する。また、本開示の実施形態に係る電子機器が収容するカードは、これらメモリカードまたはＳＩＭカードのようなＩＣカードに限定されない。本開示の実施形態に係る電子機器は、カードを収容する機構に特徴を有するため、ＩＣカードのような任意のカードを収容してもよい。以下説明する本開示の実施形態において、上述したようなカードを、適宜「ＩＣカード」または単に「カード」と総称する。
【００１２】
図１は、本開示の実施形態に係る電子機器の外観を示す斜視図である。
【００１３】
図１に示すように、本実施形態に係る電子機器１は、外観視において、ハウジング３と、バッテリリッド５（以下、単に「リッド５」と記す）とを含んで構成される。電子機器１をスマートフォンとする場合、図１に示すリッド５の表面（Ｚ軸正方向を向く面）は、典型的には電子機器１の背面とすることができる。この場合、ハウジング３の底面（Ｚ軸負方向を向く面）は、典型的には電子機器１の正面とすることができる。この場合、電子機器１の正面には、例えば各種の情報を表示すディスプレイおよびユーザの操作を検出するタッチパネルなどを配置することができる。また、図１に示すように、ハウジング３の側面部などに、ユーザの操作を検出するボタン式スイッチのような各種の部材を設けてもよい。
【００１４】
以下、電子機器１がＩＣカードのようなカードを収容する観点と関連性の低い説明は、適宜簡略化または省略する。特に、電子機器１は、内部に収容したＩＣカードと情報を送受信することで、各種の機能を実現することができる。この場合、ＩＣカードと送受信した情報は、例えばＣＰＵ(Central Processing Unit)などのようなコントローラが処理する。電子機器１は、このようなコントローラをはじめとする任意の処理部を備えるものとすることができるが、これらの構成および、その処理または動作についての図示および説明は省略する。
【００１５】
ハウジング３は、電子機器１の筐体を構成している。ハウジング３は、電子機器１を構成する各部品を収容している。また、ハウジング３は、電子機器１が動作するための電力を供給するバッテリを収容している。リッド５は、電子機器１に収容されたバッテリを覆っている。図１に示すように、本実施形態において、ハウジング３とリッド５との双方を組み合わせた状態で、電子機器１全体の筐体を構成することもできる。ハウジング３とリッド５とが組み合わされた状態においては、これらの組合せが嵌合する部分にパッキンを設けることにより防水を実現し、電子機器１の筐体内部に水分などが侵入しないようにできる。ハウジング３およびリッド５は、図１に示すような構成に限定されず、これらが組み合わせ可能な任意の構成を採用することができる。
【００１６】
図２は、電子機器１の内部構造を示す斜視図である。図２（Ａ）は、電子機器１のハウジング３からリッド５を取り外した状態を示している。図２（Ｂ）は、電子機器１のハウジング３からリッド５を取り外し、さらに、ハウジング３からバッテリ７を取り外した状態を示している。
【００１７】
図２（Ａ）に示すように、ハウジング３からリッド５を取り外すと、バッテリ７が露出した状態になる。図２（Ａ）に示すように、バッテリ７の上端部（Ｙ軸正方向の端部）は、ハウジング３側に設けられた爪のような係止部によって係止される。したがって、ユーザは、バッテリ７の下端部（Ｙ軸負方向の端部）を持ち上げる（Ｚ軸正方向に起こす）ことによって、ハウジング３からバッテリ７を取り外すことができる。この係止部は、図２に示すようなツメ状の部材に限定されず、バッテリ７を電子機器１内に係止することができれば、任意の形状および構成とすることができる。
【００１８】
バッテリ７は、電子機器１を動作させるのに適した容量を有する任意の二次電池または一次電池とすることができる。バッテリ７は、電子機器１の機能および仕様に応じて、種々の電気的特性を有するものとし得る。このため、以下、バッテリ７の電気的特性の観点からの説明は、適宜簡略化または省略する。
【００１９】
バッテリ７は、図２に示すように、直方体に近い形状とすることができる。また、バッテリ７は、電子機器１に電力を供給するための端子を備えている。バッテリ７を電子機器１に収容した状態において、バッテリ７の端子は、電子機器１側の端子と接触するように構成されている。ハウジング３およびバッテリ７は、図２に示すような構成に限定されず、バッテリ７の端子が電子機器１側の端子と接触するような任意の構成を採用することができる。
【００２０】
図２（Ｂ）に示すように、電子機器１は、ハウジング３内において、バッテリ収容スペース９（以下、単に「スペース９」と記す）を有している。電子機器１がバッテリ７を収容する際には、スペース９は、バッテリ７を収容する。図２（Ｂ）においては、バッテリ７は、スペース９から取り外されている。
【００２１】
図２（Ｂ）に示すように、本実施形態に係る電子機器１は、第１収容部１０と、第２収容部２０と、保持部材３０と、を備える。第１収容部１０と、第２収容部２０と、保持部材３０とは、電子機器１のスペース９における底部に設けることができる。
【００２２】
以下の例においては、第１収容部１０にはマイクロＳＤカードを収容し、第２収容部２０にはナノＳＩＭカードを収容する場合を想定して説明する。しかしながら、本実施形態に係る電子機器１は、このような構成に限定されない。例えば、本実施形態に係る電子機器１において、第１収容部１０および第２収容部２０に収容されるカードの種類を逆にしてもよい。また、本実施形態に係る電子機器１において、第１収容部１０および第２収容部２０の双方にＳＤカードまたはＳＩＭカードの一方を収容するように、同種のカードのみを収容してもよい。さらに、本実施形態に係る電子機器１において、第１収容部１０および第２収容部２０には、ＳＤカードまたはＳＩＭカードのようなカード以外のカードを収容してもよい。
【００２３】
以下、本実施形態に係る電子機器１がカードを収容する機構について説明する。図３〜図６は、電子機器１がカードを収容する機構を説明する図である。
【００２４】
図３（Ａ）は、図２（Ｂ）に示したスペース９において、第１収容部１０、第２収容部２０、および保持部材３０を含む領域を拡大して示す図である。図３（Ａ）に示すように、電子機器１は、スペース９の底部において、第１収容部１０、第２収容部２０、および保持部材３０を備えている。第１収容部１０は、後述するように、典型的にはマイクロＳＤカードとすることができる第１カードを収容する。第２収容部２０は、後述するように、典型的にはナノＳＩＭカードとすることができる第２カードを収容する。
【００２５】
保持部材３０は、後述するように、第１収容部１０および第２収容部２０に収容されるカードを保持する機能を有する。本実施形態において、保持部材３０は、図３（Ａ）に示すように、第１収容部１０と第２収容部２０との間に１つ設けることにより、第１カード１２および第２カード２２の双方を保持可能である。
【００２６】
図３（Ａ）に示すように、保持部材３０は、接続部３２と、切り欠き３４とを有している。接続部３２は、保持部材３０と、スペース９の底部とを接続する。この接続部３２は、保持部材３０側に設けることもできるし、スペース９におけるハウジング３側に設けることもできる。
【００２７】
保持部材３０は、例えば少なくとも部分的に弾性を有するように構成することができる。保持部材３０が部分的に弾性を有するためには、保持部材３０を少なくとも部分的に弾性材料で構成するのが好適である。ここで、弾性材料とは、例えば、熱可塑性ポリウレタン（ＴＰＵ(Thermoplastic Polyurethane)）、エラストマー、またはゴムなどとすることができる。また、保持部材３０の全体を弾性材料で構成してもよいし、保持部材３０と接続部３２とを含めて弾性材料で一体成型してもよい。このように、保持部材３０（および接続部３２）を弾性材料で構成することにより、保持部材３０（および接続部３２）そのものが破壊されにくくすることができる。
【００２８】
図３（Ｂ）は、図３（Ａ）に示した保持部材３０を変位させた状態を示す図である。このように、保持部材３０は、図３（Ａ）に示す状態から、図３（Ｂ）に示す状態に変位することができる。以下、便宜的に、図３（Ａ）に示す保持部材３０の状態を「閉状態」と記し、図３（Ｂ）に示す保持部材３０の状態を「開状態」と記す。図３（Ｂ）に示すように、保持部材３０の開状態においては、カードの排出経路４０（以下、単に「排出経路４０」と記す）が露出している。
【００２９】
切り欠き３４は、ユーザの爪などを引っ掛けるために、保持部材３０に形成することができる。図３（Ａ）に示す保持部材３０の「閉状態」において、ユーザは、切り欠き３４に自身の爪などを引っ掛けることにより、簡単に図３（Ｂ）に示す保持部材３０の「開状態」に変位させることができる。切り欠き３４は、図３に示す形状に限定されるものではなく任意の形状とすることができる。また、切り欠き３４を形成することは必須ではなく、切り欠き３４を形成せずに簡素な構成としてもよい。
【００３０】
図３（Ａ）および図３（Ｂ）に示すように、保持部材３０の閉状態および開状態を実現するためには、種々の機構を採用することができる。例えば、図３（Ａ）および図３（Ｂ）に示すように、保持部材３０の一端（Ｘ軸負方向の端部）を軸として、保持部材３０がスペース９に対して回動する機構を設けることができる。この場合、接続部３２は、保持部材３０の一端（Ｘ軸負方向の端部）を軸として回動する機構を構成する。このように、電子機器１において、保持部材３０は、保持部材３０の一辺を軸として回動することにより変位可能にしてもよい。
【００３１】
また、例えば、弾性部材で構成された接続部３２が若干の長さを有し、図３（Ａ）に示す閉状態においては、当該長さ部分はスペース９内部に収容されるように構成してもよい。
この場合、図３（Ｂ）に示す開状態においては、当該長さ部分がスペース９内部から伸長することにより、保持部材３０を変位可能に構成することができる。このような構成により、図３（Ａ）に示す閉状態において、保持部材３０は、スペース９の底部に拘束されるようにできる。一方、図３（Ｂ）に示す閉状態において、保持部材３０は、当該保持部材３０の少なくとも一部がスペース９の底部から解放されるようにできる。このように、電子機器１において、保持部材３０は、当該保持部材３０の少なくとも一部が解放されることにより変位可能にしてもよい。
【００３２】
図４は、第１収容部１０にカードを収容する様子を示す図である。図４（Ａ）は、第１収容部１０にカードを収容する直前の様子を示し、図４（Ｂ）は、第１収容部１０にカードを収容した直後の様子を示す。
【００３３】
図４（Ａ）に示すように、本実施形態に係る電子機器１において、第１収容部１０に第１カード１２を収容する際には、まず、排出経路４０に第１カード１２を配置する。ここで、排出経路４０に第１カード１２を配置する際には、第１カード２１の裏表および挿入方向などに留意すべきである。したがって、保持部材３０の表面（図３（Ａ）に示す保持部材３０のＺ軸正方向を向く面）および／または排出経路４０の底面（図３（Ｂ）に示す排出経路４０のＺ軸正方向を向く面）には、前述のような注意書きを施すのが好適である。
【００３４】
図４（Ａ）に示すように、排出経路４０に第１カード１２を配置したら、図４（Ａ）に示す矢印の方向（Ｙ軸負方向）に、第１カード１２をスライドさせて挿入する。これにより、図４（Ｂ）に示すように、第１カード１２を第１収容部１０に収容することができる。図４（Ｂ）に示すように、第１カード１２が第１収容部１０においてスライド可能な端部まで達すると、第１カード１２は電子機器１に対して電気的に接続される。第１収容部１０の内部においては、第１カード１２が第１収容部１０に収容された状態で、それぞれの端子が接触するように構成することができる。
【００３５】
図４（Ｂ）に示す状態において、保持部材３０を元に戻して閉状態（図３（Ａ）参照）にすることにより、保持部材３０は、第１カード１２が第１収容部１０から排出されないように保持する。このように、本実施形態に係る電子機器１においては、第１カード１２のみが第１収容部１０に収容された状態であっても、第１収容部１０が第１カード１２を安定して保持するようにできる。
【００３６】
図５は、第１収容部１０に第１カード１２を収容した後、さらに第２収容部２０にカードを収容する様子を示す図である。図５（Ａ）は、第２収容部２０にカードを収容する直前の様子を示し、図５（Ｂ）は、第２収容部２０にカードを収容した直後の様子を示す。
【００３７】
図５（Ａ）に示すように、本実施形態に係る電子機器１において、第２収容部２０に第２カード２２を収容する際には、まず、排出経路４０に第２カード２２を配置する。ここで、排出経路４０に第２カード２２を配置する際にも、第２カード２２の裏表および挿入方向などに留意すべきである。したがって、保持部材３０の表面（図３（Ａ）に示す保持部材３０のＺ軸正方向を向く面）および／または排出経路４０の底面（図３（Ｂ）に示す排出経路４０のＺ軸正方向を向く面）には、前述のような注意書きを施すのが好適である。また、図５（Ａ）に示すように、第１収容部１０および第２収容部２０は、第１カード１２の排出経路と第２カード２２の排出経路とが重なるように配置する。すなわち、電子機器１において、第１カード１２の排出経路と第２カード２２の排出経路とは、カードの排出経路として共用される。また、保持部材３０は、第１カード１２の排出経路と第２カード２２の排出経路とが重なる領域に位置することができる。
【００３８】
図５（Ａ）に示すように、排出経路４０に第２カード２２を配置したら、図５（Ａ）に示す矢印の方向（Ｙ軸正方向）に、第２カード２２をスライドさせて挿入する。これにより、図５（Ｂ）に示すように、第２カード２２を第２収容部２０に収容することができる。図５（Ｂ）に示すように、第２カード２２が第２収容部２０においてスライド可能な端部まで達すると、第２カード２２は電子機器１に対して電気的に接続される。第２収容部２０の内部においては、第２カード２２が第２収容部２０に収容された状態で、それぞれの端子が接触するように構成することができる。
【００３９】
図５（Ｂ）に示す状態において、保持部材３０を元に戻して閉状態にすることにより、保持部材３０は、第１カード１２および第２カード２２が、それぞれ第１収容部１０および第２収容部２０から排出されないように保持する。
【００４０】
図６は、第１カード１２が第１収容部１０に収容されて、さらに第２カード２２が第２収容部２０に収容された後で、保持部材３０を元に戻して閉状態にした状態を示す拡大図である。このように、本実施形態に係る電子機器１においては、第１カード１２および第２カード２２がそれぞれ第１収容部１０および第２収容部２０に収容された状態であっても、第１カード１２および第２カードが安定して保持されようにできる。また、本実施形態に係る電子機器１においては、第２カード２２のみが第２収容部２０に収容された状態であっても、第１カード１２の場合と同様に、第２収容部２０が第２カード２２を安定して保持するようにできる。
【００４１】
このように、本実施形態に係る電子機器１において、第１収容部１０は第１カード１２を収容し、第２収容部２０は第２カード２２を収容する。また、電子機器１において、１の保持部材３０は、第１カード１２および第２カード２２を保持可能である。また、電子機器１において、第１収容部１０および第２収容部２０は、第１カード１２の排出経路と第２カード２２の排出経路とが重なるように配置する。また、電子機器１において、保持部材３０は、第１カード１２の排出経路と第２カード２２の排出経路とが重なる領域に位置する。
【００４２】
さらに、電子機器１において、保持部材３０は、第１カード１２の排出経路および第２カード２２の排出経路を塞ぐことにより、第１カード１２および第２カード２２が、それぞれ第１収容部１０および第２収容部２０から排出されることを抑制する。すなわち、保持部材３０は、第１カード１２の排出経路および第２カード２２の排出経路を塞ぐことにより、第１カード１２および第２カード２２を保持する。また、電子機器１において、保持部材３０は、第１カード１２および第２カード２２を保持する状態（図６参照）から、第１カード１２および第２カード２２を保持しない状態（図５（Ｂ）参照）に変位可能である。また、保持部材３０は、第１カード１２および第２カード２２を保持する状態から保持部材３０の少なくとも一部が解放されることにより変位可能である。
【００４３】
本実施形態に係る電子機器１によれば、第１収容部１０および第２収容部２０のいずれにおいても、第１カード１２および第２カード２２の双方の主面に端子を有するカードを収容することができる。したがって、電子機器１において、第１カード１２および第２カード２２の双方と接続を実現するための構成を簡単にすることができる。また、保持部材３０は、ハウジング３またはスペース９における他の部材とは異なる色にすることで、保持部材３０が可動部品であることをユーザに注意喚起することができる。また、保持部材３０を比較的大きな部材とすることによっても、保持部材３０が可動部品であることをユーザに注意喚起することができる。本実施形態によれば、保持部材３０を比較的大きな部材としても、弾性材料とすることで、壊れにくくすることができる。このため、電子機器１は、市場に流通した後でも、カードを保持する部材に不具合が生じるおそれを著しく低減することができる。
【００４４】
また、本実施形態に係る電子機器１において、保持部材３０は、第１収容部１０に第１カード１２を収容し、第２収容部２０に第２カード２２を収容した状態で、それぞれのカードを保持することを主な機能とする。したがって、保持部材３０は、第１カード１２および第２カード２２と隙間なく配置されるように構成することは必須ではない。例えば、図６に示すように、保持部材３０は、第１カード１２および／または第２カード２２と僅かな隙間があくように配置されてもよい。しかしながら、このようにして形成された隙間の間で第１カード１２または第２カード２２が動いたとしても、それぞれのカードと電子機器１との電気的接続が確保されるようにすべきである。
【００４５】
次に、本実施形態に係る電子機器１において、第１収容部１０および第２収容部ならびに保持部材３０と、バッテリ７との配置構造について説明する。図７は、図６に示した電子機器１のＡ−Ａ’における断面図である。
【００４６】
図７に示すように、電子機器１において、第１収容部１０および第２収容部２０は、バッテリ７を収容するスペース９の底部に設けるようにできる。具体的には、第１収容部１０および第２収容部２０は、ハウジング３に形成されたスペース９の底面（Ｚ軸正方向を向く面）に配置される。図７は、第１収容部１０には第１カード１２が収容され、第２収容部２０には第２カード２２が収容された状態を示している。また、図７に示すように、保持部材３０は板状に構成し、その高さ（Ｚ軸方向の厚さ）が、第１収容部１０および第２収容部２０の高さ（Ｚ軸方向の厚さ）よりも大きくなるように構成することができる。
【００４７】
このような構成によれば、電子機器１にバッテリ７を取り付けた状態において、保持部材３０がスペース９から（Ｚ軸正方向に）外れようとする動きを抑制する。したがって、電子機器１は、保持部材３０がスペース９から（Ｚ軸正方向に）外れるおそれを低減することができる。また、このような構成によれば、電子機器１にバッテリ７を取り付けた状態において、バッテリ７が、第１収容部１０および第２収容部２０に干渉することはない。したがって、バッテリ７の配置に起因して、第１収容部１０および第２収容部２に不具合が生じることはなく、第１カード１２および第２カード２２に不具合が生じることもない。
【００４８】
このように、本実施形態において、保持部材３０は板状にすることができる。また、電子機器１において、この場合において、保持部材３０は、バッテリ７により変位が抑制されるようにすることができる。本実施形態によれば、保持部材３０が壊れにくいのみならず、カード１２，２２およびカード収容部１０，２０をも壊れにくくすることかできる。
【００４９】
次に、本実施形態に係る電子機器１の変形例を説明する。図８は、本実施形態に係る電子機器１の変形例を説明する図である。
【００５０】
図６に示した電子機器１においては、第１収容部１０の開口と、第２収容部２０の開口とは対向する向きに配置した。本実施形態に係る電子機器１の変形例においては、図８に示すように、第１収容部１０の開口と、第２収容部２０の開口とは、直交する向きに配置する。図８に示すような構成も、図６において説明した電子機器１と同様の効果を実現することができる。図８に示すように、第１収容部１０および第２収容部２０に対して、保持部材３０を１つ設けることにより、第１カード１２および第２カードが安定して保持されようにできる。
【００５１】
また、本実施形態に係る電子機器１の他の変形例として、第１収容部１０の開口と、第２収容部２０の開口とが直交するのではなく、任意の角度を成して配置してもよい。このような構成も、図６および図８において説明した電子機器１と同様の効果を実現することができる。
【００５２】
次に、本実施形態に係る電子機器１の有利な効果について説明する。
【００５３】
図９は、防水キャップ型のカード収容部を説明する図である。
【００５４】
図９（Ａ）に示すように、電子機器１００は、そのハウジング１０５の側面において、カード収容部の防水キャップ１１０を備えている。図９（Ａ）は、電子機器１００の防水キャップ１１０を閉じた状態を示している。図９（Ｂ）は、図９（Ａ）に示す電子機器１００の防水キャップ１１０を外した状態を示す図である。図９（Ｂ）に示すように、防水キャップ１１０を外すと、カード収容部１２０内部にカード１３０が収容されている。
【００５５】
このような構成においては、カード収容部１２０内部を防水とするための専用の防水キャップ１１０を用意する必要がある。一方、本実施形態に係る電子機器１においては、バッテリ７を格納するためにハウジング３とリッド５との間に防水を施せば、第１収容部１０または第２収容部２０専用のキャップを設ける必要はない。すなわち、本実施形態に係る電子機器１においては、バッテリ７に対する防水を施すことにより、第１収容部１０または第２収容部２０の防水も同時に実現される。
【００５６】
図１０は、バッテリ収容部の側面に設けたカード収容部を説明する図である。
【００５７】
図１０（Ａ）に示すように、電子機器２００は、バッテリリッドを外した状態のハウジング２０５において、バッテリ２３０が露出している。電子機器２００は、バッテリ２３０を取り外すことにより、カードの挿入または取り出しを行うことができる。図１０（Ｂ）は、電子機器２００のハウジング２０５からバッテリ２３０を取り外した状態を示す図である。図１０（Ｂ）に示すように、電子機器２００は、バッテリ収容部２４０の側面において、カード収容部２１０および２２０を備えている。これらカード収容部２１０および２２０には、それぞれカードを収容することができる。
【００５８】
このような構成においては、バッテリ２３０に対する防水を施すことにより、カード収容部２１０および２２０には、それぞれ専用の防水の措置を施す必要はない。しかしながら、電子機器２００においては、バッテリ収容部２４０とは別のスペースに、カード収容部２１０および２２０を設ける必要がある。したがって、電子機器２００が小型である場合には、例えばバッテリ２３０を小型化せざるを得ないなどのスペースの制約に起因する問題が生じ得る。一方、本実施形態に係る電子機器１においては、バッテリを収容するスペース９内において、第１収容部１０および第２収容部２０を設け、それぞれの排出経路４０をも設けることができる。したがって、電子機器１を小型にする必要がある場合でも、限られた内部のスペースを効率的に活用することができる。
【００５９】
図１１は、可動式のカードソケットを有するカード収容部を説明する図である。
【００６０】
図１１に示すように、電子機器３００は、カード収容部３０５に格納可能なカードソケット３１０を備えている。図１１は、カード収容部３０５に格納されていた可動式のカードソケット３１０の一端を垂直方向に起立させるように動かした状態を示している。図１１に示す状態において、ユーザは、カードソケット３１０にカード２３０をスライドして挿入し、カード２３０をカードソケット３１０ごと倒すように動かすことで、カードソケット３１０をカード収容部３０５に格納することができる。カードソケット３１０をカード収容部３０５に格納した状態において、電子機器３００は、カード３２０を電気的に接続することができる。
【００６１】
このような構成においては、バッテリを収容するスペース内において、カード収容部３０５を設けることができる。このため、バッテリ収容スペースとは別のスペースにカード収容部３０５およびカードソケット３１０を設ける必要はない。また、この場合において、バッテリ収容スペースに対する防水を施すことにより、カード収容部３０５には専用の防水の措置を施す必要はない。ところで、このような構成において、カードソケット３１０は、カード２３０を収容した状態でカード収容部３０５に確実に固定される必要がある。このため、カードソケット３１０は、典型的には金属などの硬質の材料で形成する必要がある。しかしながら、カードソケット３１０のような精緻な部材を金属などの硬質の材料で形成すると、ユーザが必要以上の力を加えたりすると、比較的簡単に屈曲したり破壊されたりする。ユーザが意図的に必要以上の力を加えたりしなくとも、例えばカードを取り出そうとした際に、カードソケット３１０を動かす勢いが余ってしまうおそれもある。このような構成は比較的に脆弱であり、市場に流通した後で不具合が多く生じ得る。
【００６２】
一方、本実施形態に係る電子機器１においては、第１収容部１０に第１カード１２を収容し、第２収容部２０に第２カード２２を収容した状態で、それぞれのカードを保持する保持部材は、弾性材料のような非常に壊れにくい材質で構成する。したがって、本実施形態に係る電子機器１は、市場に流通した後でも、カードを保持する部材に不具合が生じるおそれを著しく低減することができる。
【００６３】
以上説明したように、本実施形態によれば、ＩＣカードのようなカードを収容する電子機器の利便性を高めることを、比較的簡単な構成で実現できる。
【００６４】
本開示を諸図面および実施例に基づき説明してきたが、当業者であれば本開示に基づき種々の変形および修正を行うことが容易であることに注意されたい。したがって、これらの変形および修正は本開示の範囲に含まれることに留意されたい。例えば、各機能部、各手段、各ステップなどに含まれる機能などは論理的に矛盾しないように再配置可能であり、複数の機能部およびステップなどを１つに組み合わせたり、或いは分割したりすることが可能である。また、上述した本開示の各実施形態は、それぞれ説明した各実施形態に忠実に実施することに限定されるものではなく、適宜、各特徴を組み合わせたり、一部を省略したりして実施することもできる。
【符号の説明】
【００６５】
１  電子機器
３  ハウジング
５  リッド
７  バッテリ
９  スペース
１０  第１収容部
１２  第１カード
２０  第２収容部
２２  第２カード
３０  保持部材
３２  接続部
３４  切り欠き
４０  排出経路
【図１】
2018120419.tif 000003
【図２】
2018120419.tif 000004
【図３】
2018120419.tif 000005
【図４】
2018120419.tif 000006
【図５】
2018120419.tif 000007
【図６】
2018120419.tif 000008
【図７】
2018120419.tif 000009
【図８】
2018120419.tif 000010
【図９】
2018120419.tif 000011
【図１０】
2018120419.tif 000012
【図１１】
2018120419.tif 000013